(57)【要約】【課題】  壁面への貼り付けに高い技能を要求せず、しかも、複数の壁紙間で横方向に連続する凸状帯模様の見栄えを向上することができる壁紙を提供する。【解決手段】  壁紙１０の上部には、そのシート１４の真空成形により、横方向に延びる凸状帯模様部１２が形成されている。凸状帯模様部１２の幅及び高さは、その左端から右端に向かって徐々に小さくなるように形成されている。壁紙１０を壁面に順次貼り付けていくときに、前に貼り付けた壁紙１０の凸状帯模様部１２の左端部に、後で貼り付ける壁紙１０の凸状帯模様部１２の右端部を重ねると、凸状帯模様部１２の端部同士が隙間なく密着した状態で重なり合う。そして、各壁紙１０の凸状帯模様部１２が横方向に連続する。【選択図】      図５
2006348653.tif 000002
【特許請求の範囲】
【請求項１】
合成樹脂からなるシートの表面に凸状帯模様部を形成するとともに、裏面に粘着材を塗布し、壁面に対して横方向に複数連続して貼り付けられることにより前記凸状帯模様部を同横方向に連続させる壁紙において、
前記凸状帯模様部の幅及び高さが、その一端から他端に向かって徐々に小さくなるようにし、壁面に貼り付けられた状態で隣り合う両壁紙間で、一方の壁紙の同凸状帯模様部の一端と、他方の壁紙の同凸状帯模様部の他端とが重ね合わされることを特徴とする壁紙。
【請求項２】
前記凸状帯模様部の一端側における壁紙本体の側縁辺には、同凸状帯模様部の一端側を除く部分に、壁面に貼り付けられた状態で表側に配置される表側重ね合わせ部を設け、同凸状帯模様部の他端側における壁紙本体の側縁辺には、同凸状帯模様部の他端側を除く部分に、壁面に貼り付けられた状態で隣り合う他の壁紙における前記表側重ね合わせ部の裏側に配置される裏側重ね合わせ部を設けたことを特徴とする請求項１に記載の壁紙。
【請求項３】
前記凸状帯模様部の幅を、一端から他端に向かって前記シートの厚さの２倍分だけ徐々に小さくなるようにし、同凸状帯模様部の高さを、一端から他端に向かって同シートの厚さ分だけ徐々に小さくなるようにしたことを特徴とする請求項１又は請求項２に記載の壁紙。
【請求項４】
腰板を模して形成されるとともに、前記凸状帯模様部が少なくとも上部に設けられていることを特徴とする請求項１〜請求項３のいずれか一項に記載の壁紙。
【発明の詳細な説明】
【技術分野】
【０００１】
この発明は、ポリ塩化ビニル等の合成樹脂製のシートからなる壁紙に関するものである。
【背景技術】
【０００２】
この種の壁紙としては、従来より、例えば特許文献１に記載されたようなものが存在する。また、この種の壁紙には、合成樹脂製のシートにタイルを模した凸状模様部を形成したものが存在する。この種の壁紙は、通常施工しやすい所定のサイズに形成されており、その縁辺同士がつき合わされた状態で壁面に貼り付けられるようになっている。通常、タイルを模した壁紙は、その縁辺がタイル間の目地となるように形成され、つき合わされた縁辺間の繋ぎ目が目立たないようにされている。
【特許文献１】実開平５−５７０００号公報
【発明の開示】
【発明が解決しようとする課題】
【０００３】
ところで、例えば、腰板を模した壁紙に凸状帯模様部を設け、この凸状帯模様部を横方向に連続させようとした場合、つき合わされた縁辺間の繋ぎ目は、連続する凸状帯模様部の途中に位置することになる。この場合、タイルを模した壁紙と異なり、縁辺間の繋ぎ目が目立ち易い。この繋ぎ目が目立たないようにするには隣り合う両壁紙の縁辺同士を正確につき合わせる必要があり、作業者に高い技能を要求することになる。
【０００４】
そこで、隣り合う壁紙間で、凸状帯模様部の端部同士が上下に重ね合うようにすることも考えられる。このようにすれば、壁紙間において縁辺同士をつき合わせる必要がなく、作業者に高い技能を要求しない。しかしながら、この場合には、互いに重ね合わされた両凸状帯模様のうちの外側の部分が、内側の凸状帯模様部によって拡開するように変形し、外側と内側の凸状帯模様部同士の間に隙間ができやすくなる。
【０００５】
また、隣り合う壁紙間で、凸状帯模様部の一部同士を上下に重ね合わせるようにするとともに、互いに重ね合わされる凸状帯模様部の重ね合わせ部分のうち、内側となる側の重ね合わせ部分を、それ以外の部分よりも低い段差部とすることも考えられる。このようにすれば、外側の凸状帯模様部の重ね合わせ部分が、内側の凸状帯模様部の重ね合わせ部分によって変形されることはなく、外側と内側の重ね合わせ部分間に隙間ができにくい。しかしながら、壁紙に凸状帯模様部を形成するには真空成形が一般的な手法となるが、真空成形では、段差部の角部分を明確に成形することが困難である。このため、隣り合う壁紙の各凸状帯模様部間に段差面が露出することになり、かえって両凸状帯模様部の境界が目立ってしまう。
【０００６】
この発明の目的は、壁面への貼り付けに高い技能を要求せず、しかも、複数の壁紙間で横方向に連続する凸状帯模様の見栄えを向上することができる壁紙を提供することにある。  
【課題を解決するための手段】
【０００７】
上記目的を達成するため、請求項１に記載の発明は、合成樹脂からなるシートの表面に凸状帯模様部を形成するとともに、裏面に粘着材を塗布し、壁面に対して横方向に複数連続して貼り付けられることにより前記凸状帯模様部を同横方向に連続させる壁紙において、前記凸状帯模様部の幅及び高さが、その一端から他端に向かって徐々に小さくなるようにし、壁面に貼り付けられた状態で隣り合う両壁紙間で、一方の壁紙の同凸状帯模様部の一端と、他方の壁紙の同凸状帯模様部の他端とが重ね合わされることを特徴とする。ここで、「シート」とは、１つの材料からなる単層のものと、異なる材料からなる複数の層が積層されたものとを含む。
【０００８】
請求項２に記載の発明は、請求項１に記載の発明において、前記凸状帯模様部の一端側における壁紙本体の側縁辺には、同凸状帯模様部の一端側を除く部分に、壁面に貼り付けられた状態で表側に配置される表側重ね合わせ部を設け、同凸状帯模様部の他端側における壁紙本体の側縁辺には、同凸状帯模様部の他端側を除く部分に、壁面に貼り付けられた状態で隣り合う他の壁紙における前記表側重ね合わせ部の裏側に配置される裏側重ね合わせ部を設けたことを特徴とする。
【０００９】
請求項３に記載の発明は、請求項１又は請求項２に記載の発明において、前記凸状帯模様部の幅を、一端から他端に向かって前記シートの厚さの２倍分だけ徐々に小さくなるようにし、同凸状帯模様部の高さを、一端から他端に向かって同シートの厚さ分だけ徐々に小さくなるようにしたことを特徴とする。
【００１０】
請求項４に記載の発明は、請求項１〜請求項３のいずれか一項に記載の発明において、腰板を模して形成されるとともに、前記凸状帯模様部が少なくとも上部に設けられていることを特徴とする。
【発明の効果】
【００１１】
本発明によれば、凸状帯模様部が形成された合成樹脂のシートからなる壁紙を、裏面に塗布された粘着材によって壁面に貼り付けることができる。壁紙は、隣り合う壁紙間において凸状帯模様部の端部同士が互いに重ねあわされた状態で壁面に対して横方向に複数連続して貼り付けられ、凸状帯模様部を同横方向に連続させる。このとき、各壁紙の凸状帯模様部の幅及び高さが一端から他端に向かって徐々に小さくなるようにされているので、壁面に貼り付けられた状態で隣り合う壁紙間において、一方の壁紙の凸状帯模様部の一端を他方の壁紙の凸状帯模様部の他端の上に重ね合わせると、凸状帯模様部の端部同士が隙間なく密着した状態で重なり合う。このため、横方向に連続する凸状帯模様部間の繋ぎ目が目立ちにくい。また、隣り合う壁紙の凸状帯模様部同士を正確につき合わせる必要がないので、貼り付けに高い技能を要求しない。従って、この壁紙は、安価で、施工が容易であり、壁面の美観を向上させることができる。
【００１２】
また、前に貼り付けた壁紙の凸状帯模様部の他端に、後で貼り付ける壁紙の凸状帯模様部の一端を重ね合わせると、前に貼り付けた壁紙において凸状帯模様部の他端側における側縁辺に設けられた裏側重ね合わせ部に、後で貼り付ける壁紙において凸状帯模様部の一端側における側縁辺に設けられた表側重ね合わせ部が重ね合わされる。
【００１３】
また、腰板を模して形成されるとともに、凸状帯模様部が少なくとも上部に設けられていれば、人の目に付きやすい位置に存在する凸状帯模様部の見栄えを向上することができるので、上記効果が顕著となる。
【発明を実施するための最良の形態】
【００１４】
次に、本発明を具体化した一実施形態を図１〜図９に従って説明する。
図５に示すように、この実施形態の壁紙１０は、凹凸加工された大理石の腰壁を模したものであって、上下に長い矩形状に形成され、上下方向に沿って延びる３つの縦凸状部１１と、この各縦凸状部１１の上側に配置されるとともに横方向に延びる凸状帯模様部１２とを備えている。また、図示はしないが、壁紙１０の表面全体には、大理石の色彩模様が印刷されている。この壁紙１０は、図９に示すように、各壁紙１０の凸状帯模様部１２が横方向に連続するように壁面１３に貼り付けられる。なお、この壁紙１０の大きさは、図１（ａ）の正面図において、幅約３００ｍｍ、高さ約９７５ｍｍ、厚さ約０．２ｍｍである。
【００１５】
壁紙１０は塩化ビニル樹脂製のシート（壁紙本体）１４からなり、図１、図２、図３、図４、図５及び図６に示すように、その裏面には剥離紙１５が貼着されている。なお、以下の図１〜図６において、シート１４及び剥離紙１５の厚さは実際よりも誇張されている。前記各縦凸状部１１及び凸状帯模様部１２は、平板状のシート１４を真空成形することにより形成されている。前記縦凸状部１１は、その全体が均一な高さに形成され、それぞれ壁紙１０の縁辺から内側に入った位置に形成されている。凸状帯模様部１２は、その幅及び高さが、右端（一端）から左端（他端）に向かって徐々に小さくなるように形成されている。詳述すると、図６に示すように、凸状帯模様部１２の幅（外壁外面間の幅）は、その右端における幅Ｗ１から左端における幅Ｗ２まで、シート１４の厚さＴの２倍分だけ徐々に小さくなっている。また、凸状帯模様部１２の高さは、その右端における高さＨ１から左端における高さＨ２まで、シート１４の厚さＴ分だけ徐々に小さくなっている。すなわち、凸状帯模様部１２の左端は、その外側が凸状帯模様部１２の右端の内側に内接する大きさまで小さくなっている。
【００１６】
各縦凸状部１１の右側は縦溝１６となっている。最も左側に位置する縦凸状部１１の左側には、縦溝１６よりも幅が狭い重ね合わせ部１７が設けられている。各縦凸状部１１の上辺と、凸状帯模様部１２との間は、縦溝１６よりも幅が狭い横溝１８となっている。すなわち、これら各縦溝１６、重ね合わせ部１７及び横溝１８は、真空成形によりシート１４に形成された縦凸状部１１及び凸状帯模様部１２を除く部分によって形成されている。各縦溝１６、重ね合わせ部１７及び横溝１８の裏面には粘着材が塗布されており、その粘着材にはシート１４の裏面全体を覆う剥離紙１５が貼着されている。この実施形態では、縦溝１６が表側重ね合わせ部であり、重ね合わせ部１７が裏側重ね合わせ部である。
【００１７】
さて、上記壁紙１０を施工する際には、先ず、シート１４の裏面から剥離紙１５を剥がす。次に、このシート１４全体を壁面１３における所定位置に押し付ける。すると、壁紙１０は、その裏面の粘着材により壁面１３に貼り付けられる。次に、別の壁紙１０を、すでに壁面１３に貼り付けられた壁紙１０の左横に貼り付ける。このとき、図７及び図８に示すように、前に貼り付けた壁紙１０の重ね合わせ部１７に、後で貼り付ける壁紙１０の最も右側の縦溝１６の右部分を重ね合わせる。このとき、後で貼り付ける壁紙１０の最も右側の縦溝１６の右縁辺が、前に貼り付けた壁紙１０の重ね合わせ部１７と最も左側の縦凸状部１１との境界線に配置されるので、後で貼り付ける壁紙１０の同縦溝１６の右縁辺と、前に貼り付けた壁紙１０の重ね合わせ部１７の左縁辺との繋ぎ目が目立たない。
【００１８】
また、前に貼り付けた壁紙１０の凸状帯模様部１２の左端部に、後で貼り付ける壁紙１０の凸状帯模様部１２の右端部を重ね合わせる。すると、凸状帯模様部１２の幅及び高さが、右端部の幅Ｗ１及び高さＨ１から左端部の幅Ｗ２及び高さＨ２に向かって徐々に小さくなっていることから、後で貼り付ける壁紙１０の凸状帯模様部１２の右端部が、前に貼り付けた壁紙１０の凸状帯模様部１２の左端部に隙間なく密着した状態で重なり合う。このため、横方向に連続する凸状帯模様部１２間の繋ぎ目が目立ちにくい。また、隣り合う壁紙１０の凸状帯模様部１２同士の縁辺同士を正確につき合わせる必要がないので、貼り付けに高い技能を要求しない。従って、この壁紙１０によれば、安価で、施工が容易であり、壁面１３の美観を向上することができる。特に、腰板を模した壁紙１０において、人の目に付きやすい高さに存在する凸状帯模様部１２の見栄えを向上することができるので、上記効果が顕著となる。
【００１９】
なお、この実施形態は、次のように変更して具体化することもできる。
・  図１０〜図１４に示すように、前記凸状帯模様部１２を、上側の凸状帯模様部１２
ａと、下側の凸状帯模様部１２ｂとの２段に分けた構成とすること。この場合、各凸状帯模様部１２ａ，１２ｂの幅及び高さを、その右端から左端に向かって徐々に小さくなるようにする。
【００２０】
・  シート１４を、塩化ビニル樹脂等からなる第１層と、この第１層の表面に積層されるとともに異なる材料からなる第２層とから構成すること。第２層は、例えば、結露防止効果を有する不織布層や、あるいは、耐汚損性を有する合成樹脂層とする。
【００２１】
・  この発明を、木材からなる腰板を模して形成されるとともに、横方向に延びる凸状帯模様部を有する壁紙に具体化すること。
【図面の簡単な説明】
【００２２】
【図１】（ａ）は、一実施形態の壁紙を示す正面図、（ｂ）は同じく背面図。
【図２】（ａ）は、壁紙を示す平面図、（ｂ）は、同じく底面図。
【図３】（ａ）は、壁紙を示す右側面図、（ｂ）は、同じく左側面図。
【図４】（ａ）は、図１（ａ）におけるＡ−Ａ線断面図、（ｂ）は、同じくＢ視図。
【図５】壁紙を示す斜視図。
【図６】凸状帯模様部の重ね合わせ部を示す斜視図。
【図７】重ね合わせ前の凸状帯模様部の重ね合わせ部を示す正面図。
【図８】重ね合わせ後の凸状帯模様部の重ね合わせ部を示す正面図。
【図９】壁面に施工された壁紙を示す斜視図。
【図１０】（ａ）は、変形例の壁紙を示す正面図、（ｂ）は同じく背面図。
【図１１】（ａ）は、変形例の壁紙を示す平面図、（ｂ）は、同じく底面図。
【図１２】（ａ）は、変形例の壁紙を示す右側面図、（ｂ）は、同じく左側面図。
【図１３】変形例の壁紙を示す斜視図。
【図１４】（ａ）は、図１０（ａ）におけるＣ視図、（ｂ）は、凸状帯模様部の重ね合わせ部を示す斜視図。
【符号の説明】
【００２３】
１０…壁紙、１２，１２ａ，１２ｂ…凸状帯模様部、１３…壁面、１４…壁紙本体としてのシート、１６…表側重ね合わせ部としての縦溝、１７…裏側重ね合わせ部としての重なり部、Ｈ１，Ｈ２…高さ、Ｔ…（シートの）厚さ、Ｗ１，Ｗ２…幅。
【図１】
2006348653.tif 000003
【図２】
2006348653.tif 000004
【図３】
2006348653.tif 000005
【図４】
2006348653.tif 000006
【図５】
2006348653.tif 000007
【図６】
2006348653.tif 000008
【図７】
2006348653.tif 000009
【図８】
2006348653.tif 000010
【図９】
2006348653.tif 000011
【図１０】
2006348653.tif 000012
【図１１】
2006348653.tif 000013
【図１２】
2006348653.tif 000014
【図１３】
2006348653.tif 000015
【図１４】
2006348653.tif 000016